(57)【特許請求の範囲】
【請求項１】
略密閉状態の植物容器の内部に配設される従動ファンであって、前記植物容器の非磁性非導電体部に近接配置される従動側回転体を有する従動ファンと、
前記植物容器の外側から前記従動側回転体と対向するよう前記非磁性非導電体部にセットされる電動回転体であって、駆動側永久磁石部を有する電動回転体と、
前記電動回転体を回転駆動する電動機と、
前記電動機に対し電力を供給、停止するスイッチ機構と
を備え、
前記スイッチ機構は、前記電動回転体がセットされると自動的に電力を前記電動機に供給開始するよう動作し、
前記従動ファンは、前記電動回転体の回転時に、前記従動側回転体が前記駆動側永久磁石部による磁気吸引力及び／又は渦電流に作用する力を受けることにより、前記電動回転体の回転に追従して回転する
ことを特徴とする植物容器用送風ファン。
【請求項２】
請求項１において、
前記植物容器は、透明な保護ケースを備え、外部から前記保護ケースを通して内部の植物を観賞することができる
ことを特徴とする植物容器用送風ファン。
【請求項３】
請求項１又は２において、
前記スイッチ機構は、
定常時は突出状態に維持され、前記電動回転体のセット時に、前記植物容器の外面によって押し上げられて後退状態に維持される操作ロッドと、
該操作ロッドの位置に応じてオン、オフするスイッチと
を備え、
前記スイッチは、前記操作ロッドが突出状態のときオフし、後退状態のときオンする
ことを特徴とする植物容器用送風ファン。
【発明の詳細な説明】
【０００１】
【発明の属する技術分野】
本発明は、植物容器用送風ファン、詳しくは、栽培用植物又は観賞用植物を略密閉状態で収容している植物容器の内部に風を発生させ、植物容器内部の環境の改善を図るための植物容器用送風ファンに関する。
【０００２】
【従来の技術】
従来、特開平９−２４８０６６号公報、特開平１０−１５０８５７号公報などに記載されるように、ハエトリグサ、コモウセンゴケ、ミミカキグサなどの植物を略密閉された容器内で栽培、観賞することが行われている。
【０００３】
【発明が解決しようとする課題】
しかしながら、容器内の環境は自然界とは異なり無風で停滞したものであるため、植物の成長にとって必ずしも好適とはいえない。また、透明な保護ケースの内面に蒸発した水による結露が発生しやすく、結露によって視界が妨げられ、植物を十分に観賞できなくなるという問題があった。
【０００４】
そこで、本発明者らは、上記のような問題点を解決し、容器内の環境の改善を図り植物が枯れるのを防止し成長の促進を図るとともに、結露を簡単に除去し植物を十分に観賞できるようにすることを目的として、特願平１１−１６２９５７号に記載される植物容器用送風ファンを考案するに至った。
【０００５】
本発明は、このような植物容器用送風ファンにおいて、さらに、スイッチ機構の改良により操作性の向上を図ることを目的としてなされたものである。
【０００６】
【課題を解決するための手段】
本発明による植物容器用送風ファンは、略密閉状態の植物容器の内部に配設される従動ファンであって、前記植物容器の非磁性非導電体部に近接配置される従動側回転体を有する従動ファンと、前記植物容器の外側から前記従動側回転体と対向するよう前記非磁性非導電体部にセットされる電動回転体であって、駆動側永久磁石部を有する電動回転体と、前記電動回転体を回転駆動する電動機と、前記電動機に対し電力を供給、停止するスイッチ機構とを備え、前記スイッチ機構は、前記電動回転体がセットされると自動的に電力を電動機に供給開始するよう動作し、前記従動ファンは、前記電動回転体の回転時に、前記従動側回転体が前記駆動側永久磁石部による磁気吸引力及び／又は渦電流に作用する力を受けることにより、前記電動回転体の回転に追従して回転することを特徴とする。
【０００７】
ここで、前記植物容器は、透明な保護ケースを備え、外部から前記保護ケースを通して内部の植物を観賞することができる。
【０００８】
また、前記スイッチ機構は、定常時は突出状態に維持され、前記電動回転体のセット時に、前記植物容器の外面によって押し上げられて後退状態に維持される操作ロッドと、該操作ロッドの位置に応じてオン、オフするスイッチとを備え、前記スイッチは、前記操作ロッドが突出状態のときオフし、後退状態のときオンする。
【０００９】
【発明の実施の形態】
以下、図面に基づいて本発明の一実施形態を説明する。
【００１０】
図１は、一実施形態に係る植物容器用送風ファンが組み込まれた植物容器であって、電動回転体のセット前に対応する植物容器の構成図、図２は、電動回転体のセット後に対応する植物容器の構成図を示す。
【００１１】
図１及び図２において、植物容器１は、ベースプレート２と透明な保護ケース３とを備え、内部が略密閉状態に維持されている。保護ケース３は、プラスチック製又はガラス製のものであり、非磁性非導電体である。ベースプレート２の上には、培地４が設けられ、培地４に、ハエトリグサ、コモウセンゴケ、ミミカキグサなどの植物５が植えられている。
【００１２】
植物容器用送風ファン１０は、植物容器１の内部に配設される従動ファン１１と、植物容器１の外側から従動ファン１１と対向するようセットされる駆動装置１２とから構成される。
【００１３】
従動ファン１１は、保護ケース３に固着される軸受１３と、この軸受１３に回転可能に保持される従動側回転体１４とを備える。
【００１４】
従動側回転体１４は、例えば図３に示すように、羽根車の各羽根１５1 〜１５5 の一部に磁性体部、従動側永久磁石部又はＡｌ板等の非磁性導電体部１６1 〜１６5 が設けられて構成される。各磁性体部、従動側永久磁石部又は非磁性導電体部１６1 〜１６5 は、保護ケース３に近接して配置され、かつ、後述する駆動側永久磁石部２３に対し対向して配置される。なお、駆動側永久磁石部２３と従動側永久磁石部１６1 〜１６5 は、互いに磁気吸引力を受けることができる極性で配置されている。
【００１５】
従動側回転体１４は、上記の如き構成のもの以外に、図示しないが、羽根車とこの羽根車の回転軸に固着された円板とから構成され、円板に上記磁性体部、従動側永久磁石部又は非磁性導電体部１６1 〜１６5 に相当する複数の磁性体部、従動側永久磁石部又は非磁性導電体部を設け、これらの磁性体部、従動側永久磁石部又は非磁性導電体部を保護ケース３に近接配置させて構成したものであってもよい。
【００１６】
さらに、円板は、母材として非磁性導電材料（例えばオーステナイト系ステンレス）が使用され、かつ、非磁性導電材料に局所的に機械的加工が施されて磁性化（マルテンサイト変態）された磁性体部を有するものであってもよい。その他、円板は、Ａｌ板等の非磁性導電体に局所的に磁性メッキ例えばＮｉメッキを施して磁性体部が形成されたもの、あるいは、Ａｌ板等の非磁性導電体に磁性メッキ例えばＮｉメッキを全体に施したものであってもよい。さらに、円板は、単に磁性体からなるものであってもよい。
【００１７】
駆動装置１２は、下端が保護ケース３の外面に係止可能なケース１７を備える。ケース１７の下端部には、保護ケース３の外面を傷付けないようゴム等からなる保護カバー１７ａが被せられている。ケース１７の内部には保持アーム１８が設けられ、この保持アーム１８によって電動機１９が保持されている。電動機１９は、ケース１７に内蔵された電池２０からスイッチ機構３０を介して電力供給を受ける。
【００１８】
スイッチ機構３０は、後述するように、電動回転体２２がセットされると自動的に電力を電動機１９に供給開始するための動作をするものである。
【００１９】
具体的には、スイッチ機構３０は、操作ロッド３１とコイルばね３２とマイクロスイッチ３３とを備えて構成される。操作ロッド３１は、コイルばね３２の弾性力により定常時は突出状態に維持される（図１参照）。そして、操作ロッド３１は、電動回転体２２のセット時には、保護ケース３の外面によってコイルばね３２の付勢力に抗して押し上げられて後退状態に維持される（図２参照）。マイクロスイッチ３３は、操作ロッド３１の位置に応じてオン、オフし、操作ロッド３１が突出状態のときはオフし、電池２０から電動機１９への電力供給路を遮断し、一方、操作ロッド３１が後退状態のときはオンし、電池２０から電動機１９への電力供給路が導通する。なお、操作ロッド３１の先端部には、保護ケース３の外面を傷付けないよう保護キャップ３１ａが被せられている。ただし、操作ロッド３１自体が弾性部材で形成されている場合は、保護キャップ３１ａを用いなくてもよい。
【００２０】
電動機１９の出力軸には電動回転体２２が固着されている。電動回転体２２は、保護ケース３の形状に合わせて保護ケース３と接触しないような板形状に形成されており、下面に複数の駆動側永久磁石部２３を有している。複数の駆動側永久磁石部２３は、保護ケース３に近接して配置される。
【００２１】
上記のように構成された植物容器用送風ファン１０は、使用にあたり、駆動装置１２を保護ケース３の上面に、従動ファン１１に対向させてセットする。すると、操作ロッド３１が保護ケース３の外面によってコイルばね３２の付勢力に抗して押し上げられ、マイクロスイッチ３３の接点が閉じる。このようにしてマイクロスイッチ３３がオンすると、電池２０から電動機１９への電力供給路が導通し、電動機１９が回転を開始し、電動回転体２２が回転を開始する。この電動回転体２２の回転時、従動ファン１１の従動側回転体１４は、電動回転体２２の駆動側永久磁石部２３による磁気吸引力及び／又は電磁誘導による渦電流に作用する力を受け、電動回転体２２の回転に追従して回転する。この従動側回転体１４の回転により植物容器１内で風が発生し、植物容器１内の環境が自然界に似たものになる。また、保護ケース３の内面に結露が付着している場合、風によって結露を取り除くことができるようになる。
【００２２】
なお、スイッチ機構３０は、上記のような構成のものに限定されるものではなく、操作ロッド３１の位置を光学的又は磁気的に検出し、この検出結果に応じてスイッチがオン、オフする構成のものであってもよい。
【００２３】
【発明の効果】
本発明の植物容器用送風ファンは、略密閉状態の植物容器の内部に配設される従動ファンであって、前記植物容器の非磁性非導電体部に近接配置される従動側回転体を有する従動ファンと、前記植物容器の外側から前記従動側回転体と対向するよう前記非磁性非導電体部にセットされる電動回転体であって、駆動側永久磁石部を有する電動回転体と、前記電動回転体を回転駆動する電動機と、前記電動機に対し電力を供給、停止するスイッチ機構とを備え、前記スイッチ機構は、前記電動回転体がセットされると自動的に電力を前記電動機に供給開始するよう動作し、前記従動ファンは、前記電動回転体の回転時に、前記従動側回転体が前記駆動側永久磁石部による磁気吸引力及び／又は渦電流に作用する力を受けることにより、前記電動回転体の回転に追従して回転することを特徴としている。
【００２４】
このため、本発明によると、植物容器の外部から植物容器内部に風を発生させることができ、この風の発生によって、容器内の環境の改善を図り植物が枯れるのを防止し成長の促進を図るとともに、保護ケースが透明ケースである場合、結露を簡単に除去し植物を十分に観賞できるようになる。さらに、本発明によると、電動回転体がセットされると自動的に電動回転体が回転を開始するため、手動でのスイッチ操作が不要になり、操作性が向上する。
【００２５】
ここで、スイッチ機構を次のような構成とすることにより、すなわち、スイッチ機構を操作ロッドとスイッチとを備えて構成し、操作ロッドを、定常時は突出状態に維持され、前記電動回転体のセット時に、前記植物容器の外面によって押し上げられて後退状態に維持されるよう構成し、また、スイッチを、前記操作ロッドの位置に応じてオン、オフし、前記操作ロッドが突出状態のときオフし、後退状態のときオンするよう構成することにより、きわめて簡素な構造によりスイッチ機構を構成することができる。
【図面の簡単な説明】
【図１】本発明の一実施形態に係る植物容器用送風ファンが組み込まれた植物容器であって、電動回転体のセット前に対応する植物容器の構成図である。
【図２】電動回転体のセット後に対応する植物容器の構成図である。
【図３】同送風ファンの従動側回転体の正面図である。
【符号の説明】
１    植物容器
３    保護ケース（非磁性非導電体部）
５    植物
１０    送風ファン
１１    従動ファン
１４    従動側回転体
１９    電動機
２２    電動回転体
２３    駆動側永久磁石部
３０    スイッチ機構
３１    操作ロッド
３３    マイクロスイッチ（スイッチ）
【図１】
0004118454.tif 000002
【図２】
0004118454.tif 000003
【図３】
0004118454.tif 000004